(57)【要約】  本発明は密閉構造を備えた化粧品容器に関するもので、本発明による密閉構造を備えた化粧品容器は、キャップに備えられたレバー部材の一側を加圧する時、キャップの下方への移動によって密閉部材が圧縮されながら広がって容器本体の内側に密着されて容器本体の上部を閉鎖して容器内の気密状態を維持することができ、レバー部材の他側を加圧すると、キャップの上方への移動によって密閉部材の圧縮が解除されてキャップを容器から分離するように構成されることによって、簡単な構造を通じて容器内の気密状態を維持することができることを特徴とする。【選択図】図１
2014532512.tif 000002
【特許請求の範囲】
【請求項１】
内容物が収容され、上部が開放されて形成される容器本体と；
前記容器本体に脱離可能に結合されるが、前記容器本体の上部を囲んで結合される蓋部と、前記蓋部に結合され、レバー部材の操作によって側面が外側方向に広がって、前記容器本体の内周面に押圧されて密閉機能を提供する弾性材質の密閉部材と、前記密閉部材の下端に嵌合されて中央部が上方向に突出して形成されてレバー部材を支持するレバー部材支持体と、前記密閉部材の内側で前記レバー部材支持体と結合されて、前記密閉部材を固定させる固定板と、前記蓋部に結合されるが、レバー部材支持体と連結されて使用者の加圧によって回動して密閉部材を通じて容器本体内部を密閉させるレバー部材とからなるキャップと；を含むことを特徴とする密閉構造を備えた化粧品容器。
【請求項２】
前記容器本体の内側には前記レバー部材支持体が装着されるように容器本体の内周面を囲んで内側方向に延長される装着部が形成され、前記装着部の末端には下方向に延長されて、内容物が収容される内容物収容部が備えられることを特徴とする請求項１に記載の密閉構造を備えた化粧品容器。
【請求項３】
前記容器本体の内側上部には内周面を囲んで所定間隔離隔された複数の突出部が形成されて、容器本体の内部の圧力発生を遮断することを特徴とする請求項１に記載の密閉構造を備えた化粧品容器。
【請求項４】
前記蓋部の上部中央には前記レバー部材が結合されるレバー部材結合溝が形成され、前記レバー部材結合溝にはレバー部材の回動を制限する回動制限突起が形成されることを特徴とする請求項１に記載の密閉構造を備えた化粧品容器。
【請求項５】
前記レバー部材支持体は、前記装着部に装着される円形支持板と、前記支持板から上方向に延長されて、前記密閉部材及び固定板に嵌合される複数の突出片と、前記支持板の内周面から中心方向に延長される複数の連結ピンと、前記複数の連結ピンの中の対向する一対の連結ピンにそれぞれ結合されるが、上方向に突出して形成されて前記レバー部材を支持してレバー部材の作動をガイドする回動ガイド片とを含むことを特徴とする請求項２に記載の密閉構造を備えた化粧品容器。
【請求項６】
前記密閉部材及び固定板には前記突出片が貫通して結合されるように結合孔が形成され、前記突出片には前記レバー部材支持体が前記結合孔から脱離されることを防止するように係止突起が形成されることを特徴とする請求項５に記載の密閉構造を備えた化粧品容器。
【請求項７】
前記回動ガイド片の上部には前記レバー部材が結合される回動ガイド突起が形成され、前記レバー部材の下部両側には前記回動ガイド突起に結合される突起結合溝が形成されることを特徴とする請求項４に記載の密閉構造を備えた化粧品容器。
【請求項８】
前記レバー部材は、
使用者の加圧によって一側または他側に回動可能に前記一対の回動ガイド突起に結合される加圧部と；
前記加圧部の下端に結合され、前記一対の回動ガイド片の間に位置して、加圧部の一側または他側の回動によって一緒に回動する半円形の密閉ガイド部と；
前記密閉ガイド部の一部分を覆って形成されるが、前記加圧部の水平状態でレバー部材結合溝の底面に当接し、回動ガイド片を上昇させて密閉部材の押圧をガイドする密閉ガイド突起と；を含むことを特徴とする請求項４に記載の密閉構造を備えた化粧品容器。
【発明の詳細な説明】
【技術分野】
【０００１】
本発明は密閉構造を備えた化粧品容器に関するもので、より詳しくは、キャップに備えられたレバー部材の一側を加圧すると、キャップの下方への移動によって密閉部材が圧縮されて広がり、同時に、容器本体の内側に密着されて容器本体の上部を閉鎖して容器内の気密状態を維持することができ、レバー部材の他側を加圧すると、キャップの上方への移動によって密閉部材の圧縮が解除されて、キャップを容器から分離することができるように構成されることによって、簡単な構造を通じて容器内の気密状態を維持することができる密閉構造を備えた化粧品容器に関するものである。
【背景技術】
【０００２】
一般に、クリームなどが内装される化粧品容器は、蓋が螺旋によって結合される形態で開閉されるようになって、化粧品容器から蓋を分離して容器内の内容物を抽出することができ、且つ、化粧品容器に蓋を螺旋によって締め付けることによって、蓋が化粧品容器を密閉することができるようになっている。
【０００３】
上記のように、蓋が螺旋結合によって密閉される化粧品容器は、使用者が蓋を回転して容器本体に結合させる構造であるため、使用者の不注意から容器本体と蓋とが完全に螺旋結合されず、蓋が緊密に密閉されない場合、化粧品容器内の内容物が漏出される虞があり、内容物の変質をもたらすという問題点があった。
【０００４】
従って、簡単な構造を通じて密閉性を向上させることができる多様な化粧品容器の開発が行われている実情である。
【発明の概要】
【発明が解決しようとする課題】
【０００５】
本発明は上述した問題点を解決するために案出されたもので、本発明の目的は、キャップに備えられたレバー部材の一側を加圧すると、キャップの下方への移動によって密閉部材が圧縮されて広がり、同時に、容器本体の内側に密着されて容器本体の上部を閉鎖して容器内の気密状態を維持することができ、レバー部材の他側を加圧すると、キャップの上方への移動によって密閉部材の圧縮が解除されて、キャップを容器から分離することができるように構成されることによって、簡単な構造を通じて容器内の気密状態を維持することができる密閉構造を備えた化粧品容器を提供することにある。
【課題を解決するための手段】
【０００６】
上記のような問題点を解決するために、本発明による密閉構造を備えた化粧品容器は、内容物が収容され、上部が開放される容器本体と；上記容器本体に脱離可能に結合されるが、上記容器本体の上部を囲んで結合される蓋部と、上記蓋部に結合され、レバー部材の操作によって側面が外側方向に広がり、上記容器本体の内周面に押圧されて密閉機能を提供する弾性材質の密閉部材と、上記密閉部材の下端に嵌合され、中央部が上方向に突出して形成されて、レバー部材を支持するレバー部材支持体と、上記密閉部材の内側で上記レバー部材支持体と結合されて上記密閉部材を固定させる固定板と、上記蓋部に結合されるが、レバー部材支持体と連結されて、使用者の加圧によって回動し、密閉部材を通じて容器本体の内部を密閉させるレバー部材とからなるキャップと；を含むことを特徴とする。
【０００７】
また、上記容器本体の内側には上記レバー部材支持体が装着されるように、容器本体の内周面を囲んで内側方向に延長される装着部が形成され、上記装着部の末端には下方向に延長して形成されて、内容物が収容される内容物収容部が備えられることを特徴とする。
【０００８】
また、上記容器本体の内側上部には内周面を囲んで所定間隔離隔された複数の突出部が形成されて、容器本体の内部の圧力発生を遮断することを特徴とする。
【０００９】
また、上記レバー部材支持体は、上記装着部に装着される円形支持板と、上記支持板から上方向に延長されて、上記密閉部材及び固定板に嵌合される複数の突出片と、上記支持板の内周面から中心方向に延長される複数の連結ピンと、上記複数の連結ピンの中の対向する一対の連結ピンにそれぞれ結合されるが、上方向に突出して形成されて上記レバー部材を支持し、レバー部材の作動をガイドする回動ガイド片とを含むことを特徴とする。
【００１０】
また、上記密閉部材及び固定板には上記突出片が貫通して結合されるように結合孔が形成され、上記突出片には上記レバー部材支持体が上記結合孔から脱離されることを防止するように係止突起が形成されることを特徴とする。
【００１１】
また、上記回動ガイド片の上部には上記レバー部材が結合される回動ガイド突起が形成され、上記レバー部材の下部両側には上記回動ガイド突起に結合される突起結合溝が形成されることを特徴とする。
【００１２】
また、上記蓋部の上部中央には上記レバー部材が結合されるレバー部材結合溝が形成され、上記レバー部材結合溝にはレバー部材の回動を制限する回動制限突起が形成されることを特徴とする。
【００１３】
また、上記レバー部材は、使用者の加圧によって、一側または他側に回動可能に上記一対の回動ガイド突起に結合される加圧部と；上記加圧部の下端に結合され、上記一対の回動ガイド片の間に位置して加圧部の一側または他側への回動によって一緒に回動する半円形の密閉ガイド部と；上記密閉ガイド部の一部分を覆って形成されるが、上記加圧部の水平状態でレバー部材結合溝の底面に当接し、回動ガイド片を上昇させて密閉部材の押圧をガイドする密閉ガイド突起と；を含むことを特徴とする。
【発明の効果】
【００１４】
以上、上述したように、本発明によれば、キャップに備えられたレバー部材の一側を加圧する時、キャップの下方への移動によって密閉部材が圧縮されながら広がり、同時に、容器本体の内側に密着されて容器本体の上部を閉鎖して容器内の気密状態を維持することができ、レバー部材の他側を加圧すると、キャップの上方への移動によって密閉部材の圧縮が解除されて、キャップを容器から分離するように構成されることによって、簡単な構造を通じて容器内の気密状態を維持することができる長所がある。
【図面の簡単な説明】
【００１５】
【図１】本発明の好ましい実施例による密閉構造を備えた化粧品容器の構成を示す分解斜視図である。
【図２】本発明の好ましい実施例による密閉構造を備えた化粧品容器の構成を示す斜視図である。
【図３】本発明の好ましい実施例による密閉構造を備えた化粧品容器の構成を示す断面図である。
【図４】本発明の好ましい実施例による密閉構造を備えた化粧品容器の密閉過程を示す説明図である。
【発明を実施するための形態】
【００１６】
以下、図面を参照して本発明を詳しく説明する。各図面において、提示された同じ参照符号は同じ部材を示す。
【００１７】
図１は本発明の好ましい実施例による密閉構造を備えた化粧品容器の構成を示す分解斜視図であり、図２は本発明の好ましい実施例による密閉構造を備えた化粧品容器の構成を示す斜視図であり、図３は本発明の好ましい実施例による密閉構造を備えた化粧品容器の構成を示す断面図である。
【００１８】
図１〜図３によれば、本発明の好ましい実施例による密閉構造を備えた化粧品容器は、容器本体（１００）、キャップ（２００）が含まれる。
【００１９】
上記容器本体（１００）は内容物が収容できるように上部が開放されて形成されるもので、開放された上部に後述するキャップ（２００）が結合されて容器本体（１００）の上部を密閉させる。
【００２０】
上記容器本体（１００）の上部内側にはレバー部材支持体（２３０）が装着されるように、容器本体（１００）の内周面を囲んで内側方向に延長される装着部（１２０）が形成され、上記装着部（１２０）の末端には下方向に延長されて内容物が収容される内容物収容部（１１０）が備えられる。
【００２１】
本発明において、上記容器本体（１００）の内側上部には内周面を囲んで所定間隔離隔された複数の突出部（１３０）が形成されることを特徴とし、複数の突出部（１３０）が所定間隔離隔されて形成されることによって、キャップ（２００）を容器本体（２００）に結合して密閉過程を行う際に突出部（１３０）の間の空間を通じて圧力の排出が可能になるので、容器本体（１００）の内部に圧力が発生されることを遮断することができる。
【００２２】
上記キャップ（２００）は上記容器本体（１００）に脱離可能に結合されるもので、蓋部（２１０）、密閉部材（２２０）、レバー部材支持体（２３０）、固定板（２４０）、レバー部材（２５０）を含む。
【００２３】
上記蓋部（２１０）は上記容器本体（１００）の上部を囲んで結合されるもので、上記蓋部（２１０）の上部中央にはレバー部材（２５０）が結合できるように、レバー部材結合溝（２１１）が形成され、上記レバー部材結合溝（２１１）の下端には回動ガイド片（２３５）が貫通されて、レバー部材（２５０）との結合が可能に貫通孔（２１２）が形成される。
【００２４】
一方、上記レバー部材結合溝（２１１）の内周面の一側には、容器本体（１００）を密閉するために、レバー部材（２５０）を一側方向に回動する時、レバー部材（２５０）の回動を制限するように回動制限突起（２１３）が形成されることが好ましい。
【００２５】
上記密閉部材（２２０）は、上部は上記蓋部（２１０）に結合され、下部はレバー部材支持体（２３０）及び固定板（２４０）によって固定支持されるもので、円筒状に形成され、その下端部にはレバー部材支持体（２３０）及び固定板（２４０）によって固定支持されることが可能に固定板（２４０）が装着される延長部（２２１）が中空（２２３）を形成して内側方向に延長される。
【００２６】
上記延長部（２２１）には後述する突出片（２３２）が貫通して結合されることができるように、所定間隔離隔された複数の結合孔（２２２）が形成される。
【００２７】
本発明において、上記密閉部材（２２０）はレバー部材（２５０）の操作によって側面が外側方向に広がって、上記容器本体（１００）の上部内周面に押圧されて密閉機能を果たすことを特徴とし、回動ガイド片（２３５）の上昇時には、側面部が外側方向に広がって容器本体（１００）の内周面に押圧されて密閉機能を提供し、回動ガイド片（２３５）の下降時には、原状態に復元され、容器本体（１００）の内周面から離隔され押圧が解除されるように構成される。上記密閉部材（２２０）は外側方向に広がってから復元されることができるように弾性材質で構成されることが好ましい。
【００２８】
上記レバー部材支持体（２３０）は上記密閉部材（２２０）の下端で上記結合孔（２２２）に嵌合され、後述する固定板（２４０）との結合を通じて密閉部材（２２０）の変形を防止するもので、容器本体（１００）の装着部（１２０）に装着される円形支持板（２３１）と、上記支持板（２３１）から上方向に延長されて、上記密閉部材（２２０）及び固定板（２４０）に嵌合される複数の突出片（２３２）と、上記支持板（２３１）の内周面から中心方向に延長される複数の連結ピン（２３４）と、上記複数の連結ピン（２３４）の中の対向する一対の連結ピン（２３４）にそれぞれ結合されるが、上方向に突出して形成されてレバー部材（２５０）を支持し、レバー部材（２５０）の作動をガイドする回動ガイド片（２３５）とで構成される。
【００２９】
本発明において、上記レバー部材支持体（２３０）は上記突出片（２３２）が固定板（２４０）の結合孔（２４１）に嵌合されるように構成されることを特徴とし、これによって、密閉部材（２２０）に圧力が加えられる場合、密閉部材（２２０）が変形されることを防止することができる。上記突出片（２３２）には上記レバー部材支持体（２３０）が上記結合孔（２２２、２４１）から脱離されることを防止するように係止突起（２３３）が形成されることが好ましい。
【００３０】
一方、上記回動ガイド片（２３５）の上部にはレバー部材（２５０）が回動可能に結合されるように回動ガイド突起（２３６）が形成される。
【００３１】
上記固定板（２４０）は上記密閉部材（２２０）の内側で上記レバー部材支持体（２３０）に結合されて上記密閉部材（２２０）を固定させるもので、中央部には回動ガイド片（２３５）が貫通されることができるように貫通孔（２４２）が形成され、上記密閉部材（２２０）の結合孔（２２２）と当接する部分には後述する突出片（２３２）が貫通して結合されることができるように所定間隔離隔された複数の結合孔（２４１）が形成される。
【００３２】
上記レバー部材（２５０）は上記蓋部（２１０）のレバー部材結合溝（２１１）に結合されるが、その下部がレバー部材支持体（２３０）と連結されて、使用者の加圧によって回動し、密閉部材（２２０）を通じて容器本体（１００）の内部を密閉させるもので、加圧部（２５１）、密閉ガイド部（２５３）、密閉ガイド突起（２５４）を含む。
【００３３】
上記加圧部（２５１）は使用者の加圧によって一側または他側に回動するもので、円形に形成され、その下部両側には上記回動ガイド突起（２３６）に結合されることができるように突起結合溝（２５２）が形成される。
【００３４】
上記密閉ガイド部（２５３）は上記加圧部（２５１）の内側下端に結合され、上記一対の回動ガイド片（２３５）の間に位置して、加圧部（２５１）の一側または他側への回動によって一緒に回動するもので、回動の時、干渉が発生されないようにその断面が半円形に形成されることが好ましい。
【００３５】
上記密閉ガイド突起（２５４）は上記密閉ガイド部（２５３）の一部分を覆って形成されて、密閉ガイド部（２５３）の回動によってレバー部材結合溝（２１１）の底面に当接したり離隔されることによって、回動ガイド片（２３５）を上昇または下降させるもので、本発明において、上記密閉ガイド突起（２５４）は上記加圧部（２５１）の水平状態でレバー部材結合溝（２１１）の底面に当接するように構成されて、その厚さだけ回動ガイド片（２３５）を上昇させて密閉部材（２２０）の押圧をガイドするように構成されることを特徴とする。
【００３６】
上記密閉ガイド突起（２５４）はレバー部材結合溝（２１１）の底面に当接する場合には、その厚さだけ回動ガイド片（２３５）が上昇することによって、密閉部材（２２０）に圧力を加えて密閉部材（２２０）を外側方向に広がるようにすることによって、密閉部材（２２０）が容器本体（１００）の内周面に押圧されて密閉機能を提供し、レバー部材結合溝（２１１）の底面から離隔される場合には、その厚さだけ回動ガイド片（２３５）が下降し、密閉部材（２２０）に加えられた圧力を解除させることによって、密閉部材（２２０）を原状態に復元させて、容器本体（１００）からキャップ（２００）を脱離させることができる。
【００３７】
以下では、図４を参照して本発明の好ましい実施例による密閉構造を備えた化粧品容器の密閉過程を説明する。図４は本発明の好ましい実施例による密閉構造を備えた化粧品容器の密閉過程を示す説明図である。
【００３８】
図４を参照すれば、本発明の好ましい実施例による密閉構造を備えた化粧品容器の密閉過程は、まず、容器本体（１００）からキャップ（２００）が脱離された状態でキャップ（２００）を容器本体（１００）に結合させる。この時、レバー部材（２５０）の加圧部（２５１）は斜めに傾斜され、密閉部材（２２０）は容器本体（１００）の内周面と小幅離隔された状態で位置する。
【００３９】
次に、使用者が加圧部（２５１）の一側を加圧すると、斜めに傾斜された加圧部（２５１）が回動してレバー部材結合溝（２１１）の底面と水平状態を成すが、この時、加圧部（２５１）の回動によって密閉ガイド部（２５３）及び密閉ガイド突起（２５４）が一緒に回動するようになり、これによって、レバー部材結合溝（２１１）の底面から離隔されていた密閉ガイド突起（２５４）がレバー部材結合溝（２１１）の底面に当接し、その厚さだけ回動ガイド片（２３５）を上昇させて密閉部材（２２０）に圧力を加える。
【００４０】
上記のように、密閉部材（２２０）に圧力が加えられると、密閉部材（２２０）が外側方向に広がり、これによって密閉部材（２２０）が容器本体（１００）の内周面に押圧されて密閉機能を提供する。
【００４１】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2014532512.tif 000003
【図２】
2014532512.tif 000004
【図３】
2014532512.tif 000005
【図４】
2014532512.tif 000006
【国際調査報告】
2014532512.tif 000007
2014532512.tif 000008
2014532512.tif 000009
2014532512.tif 000010